(57)【要約】【課題】本発明は、エアカーテン吹出口の設けられる仕切板により風速分布の均一化，および整流性の向上を図るとともに、ハニカム整流体の保持を容易にするエアカーテン吹出口の構造を有するオープンショーケースを提供するものである。【解決手段】ケース本体の外箱と内箱との間に画成した冷気循環ダクトを通じてケース本体の前面開口部に冷気エアカーテンを吹出形成する冷気循環式のオープンショーケースにおいて、前記開口部に向けてケース本体１の上部前縁に開口したエアカーテン吹出口２０ａに仕切板２１を設け、仕切板２１を境にして、その外側にハニカム整流体７が組み込まれ、内側に冷気を高速で吹き出すスリット２３を形成するとともに、前記仕切板２１にてハニカム整流体７を保持することを特徴とする。【選択図】        図１
2004233019.tif 000002
【特許請求の範囲】
【請求項１】
ケース本体の外箱と内箱との間に画成した冷気循環ダクトを通じてケース本体の前面開口部に冷気エアカーテンを吹出形成する冷気循環式のオープンショーケースにおいて、前記開口部に向けてケース本体の上部前縁に開口したエアカーテン吹出口に仕切板を設け、仕切板を境にして、その外側にハニカム整流体が組み込まれ、内側に冷気を高速で吹き出すスリットを形成するとともに、前記仕切板にてハニカム整流体を保持することを特徴とするオープンショーケース。
【請求項２】
請求項１記載のオープンショーケースにおいて、仕切板の下端部をハニカム整流体側の下端面に向けてＬ字形に折曲部を形成し、該折曲部にてハニカム整流体を保持することを特徴とするオープンショーケース。
【請求項３】
請求項１または２に記載のオープンショーケースにおいて、複数のエアカーテン吹出口を有する場合には、最内側のエアカーテン吹出口に前記仕切板を設けることを特徴とするオープンショーケース。
【発明の詳細な説明】
【０００１】
【発明の属する技術分野】
この発明は、冷気循環式のオープンショーケース、特にそのエアカーテン吹出口の構造に関する。
【０００２】
【従来の技術】
まず、図３に頭記した冷気循環式のオープンショーケースとして、二層エアカーテン方式の多段形オープンショーケースの従来構成を示す。
図３において、１はオープンショーケースのケース本体であり、前面を開放した外箱（断熱筐体）１ａと内箱１ｂとの間には、内箱１ｂの外周を取り囲んで内外二重の冷気循環通風路を形成するようにインナーダクト２，およびアウターダクト３が画成されており、かつインナーダクト２，およびアウターダクト３に連ねてケース本体１の前面開口部の上部側にはエアカーテン吹出口２ａ，３ａが、下部側にはエアカーテン吸込口２ｂ，３ｂが開口している。また、インナーダクト２には冷却器（冷凍機のエバポレータ）４，およびインナーファン５が、またアウターダクト３にはアウターファン６が配備されており、さらにエアカーテン吹出口２ａ，３ａにはそれぞれハニカム整流体７が組み込まれている。なお、８は上下段に並べて庫内に配置した商品陳列棚であり、３１は各商品陳列棚８下に設けられる照明灯、３２はキャノピ部１００に設けられる照明灯、３３は庫内上部の前面に設けられる照明灯である。
【０００３】
かかる構成になるオープンショーケースの保冷運転時には、インナーダクト２，アウターダクト３に冷気が循環送風され、エアカーテン吹出口２ａ，３ａのハニカム整流体７を通じてケース本体１の前面開口部に内外二層の冷気エアカーテンＡ，Ｂを吹出形成し、庫内の商品陳列棚８に陳列した商品を保冷する。
前記した冷気循環式のオープンショーケースに対し、そのケース本体１の前面開口部に熱遮へい性能の高いエアカーテンを吹出し形成するための手段として、インナー側のエアカーテン吹出口２ａに組み込んだハニカム整流体７の内側にスリットを形成し、エアカーテン吹出口２ａを通じて吹き出すインナーエアカーテンの風速分布を庫内に近い内側領域で高速，外側領域で低速となるようにし、庫内／庫外間の圧力差によりエアカーテンが庫内側に湾曲するドラフト効果に起因して引き起こされるエアカーテンの乱れを抑えるようにしたオープンショーケースが知られており、このように、複数層のエアカーテンを有していても最も庫内に近い内側にスリットを設けている（例えば、特許文献１参照）。
【０００４】
その具体的な構成としては、例えば、１層エアカーテン方式のオープンショーケースにおけるエアカーテン吹出口の部分を表している図４に示すように、ケース本体１の外箱１ａと内箱１ｂとの間に画成した１層分の冷気循環ダクト９に連ねてケース本体１の上部側にはエアカーテン吹出口９ａが開口しており、ここで、内箱１ｂの天井パネル前面壁１ｃに取付金１０をねじ止めした上で、この取付金１０の前面に板金製の長尺な仕切板１１を固定し、該仕切板１１と内箱１ｂの天井パネル前面壁１ｃとの間に冷気の吹出通風路となるスリット１２を形成する。
【０００５】
ここで、エアカーテン吹出口２ａに設けられる仕切板１１を境にしてその外側にハニカム整流体７が組み込まれることになり、前面側にて外箱１ａの前面壁１ｄに図示のように例えば、コ字状の保持部材１４により支持され、保持部材１４と仕切板１１との間に挟み込まれている。なお、１１ｂは仕切板１１部分におけるエアカーテンの吹出し穴、１３は仕切板１１の上部にねじ１３ａにてねじ止めされている風向ガイドである（例えば、特許文献２参照）。
一方、仕切板１１の外側に配置されるハニカム整流体７の保持方法として、例えば図５に示すように、仕切板１１が設けられている側とは反対側のハニカム整流体の端面に略コ字状に折り曲げてハニカム整流体を上下から挟むとともに凸部１５ａを有する針金のような線材１５を取り付け、線材１５の凸部１５ａに対応するエアカーテン吹出口の壁に凹部１ｅを設け、凹凸部を嵌め合わせることによりハニカム整流体７をエアカーテン吹出口９ａに保持させるものである（例えば、特許文献３参照）。
【０００６】
【特許文献１】
特開平８−３２０１７６号公報
【特許文献２】
特開平１１−３２５６９８号公報
【特許文献３】
特開平１１−２６４６４６号公報
【０００７】
【発明が解決しようとする課題】
前記構成からなるエアカーテン吹出口の構造は、エアカーテン吹出口に仕切板１１を取り付け、その後に、ハニカム支えとしての保持部材１４あるいは線材１５のコ字状部分でハニカム整流体７を挟み、線材１５に関してはこのハニカム整流体７と一体化した線材１５の凸部１５ａをエアカーテン吹出口の凹部１ｅに嵌め込んでいるため、スリット１２を形成する仕切板１１の他に、ハニカム整流体７を支えるための別の保持構造が必要であるため、部品点数が多くなり、また、その取り付け構造も複雑となるなどの問題点がある。
【０００８】
そこで、この発明の課題は、エアカーテン吹出口の設けられる仕切板により風速分布の均一化，および整流性の向上を図るとともに、ハニカム整流体の保持を容易にするエアカーテン吹出口の構造を有するオープンショーケースを提供することを目的とする。
【０００９】
【課題を解決するための手段】
上記目的を達成するために、この発明によれば、ケース本体の外箱と内箱との間に画成した冷気循環ダクトを通じてケース本体の前面開口部に冷気エアカーテンを吹出形成する冷気循環式のオープンショーケースにおいて、
前記開口部に向けてケース本体の上部前縁に開口したエアカーテン吹出口に仕切板を設け、仕切板を境にして、その外側にハニカム整流体が組み込まれ、内側に冷気を高速で吹き出すスリットを形成するとともに、前記仕切板にてハニカム整流体を保持することを特徴とする。
【００１０】
具体的には、前記オープンショーケースにおいて、仕切板の下端部をハニカム整流体側下端面に向けてＬ字形に折曲部を形成し、該折曲部にてハニカム整流体を保持することを特徴とする。
さらに、複数のエアカーテン吹出口を有する場合には、最内側のエアカーテン吹出口に前記仕切板を設けることを特徴とする。
【００１１】
【発明の実施の形態】
以下、この発明の実施の形態を図１，図２に示す実施例に基づいて説明する。なお、図示実施例は、周知の３層エアカーテン方式のオープンショーケースにおけるエアカーテン吹出口の部分を表している。なお、図中で図３ないし図５に対応する同一部材には同じ符号が付してあるため説明は省略する。
すなわち、図示の実施の形態では、３層エアカーテン方式のオープンショーケースを示しており、ケース本体１の外箱１ａと内箱１ｂとの間に画成したインナーダクト１９ａ、ミドルダクト１９ｂ、アウターダクト１９ｃからなる冷気循環ダクトに連ねてケース本体１の上部側には、内側よりエアカーテン吹出口２０ａ，２０ｂ，２０ｃが開口している。
【００１２】
このような３層エアカーテン方式のオープンショーケースでは、インナーダクト１９ａのエアカーテン吹出口２０ａから冷気エアカーテン、ミドルダクト１９ｂのエアカーテン吹出口２０ｂから冷気保護カーテン、アウターダクト１９ｃのエアカーテン吹出口２０ｃから外気エアカーテンが吹出し形成され、これらエアカーテンによってケース内外の熱的遮へいを行い、外気の侵入を遮断しつつ庫内陳列商品を保冷する。
ここで、インナーダクト１９ａのエアカーテン吹出口２０ａを形成する部分に設けられ、スリット２３を形成するとともにハニカム整流体７を保持する仕切板２２の構造は、インナーダクト１９ａのエアカーテン吹出口２０ａを形成する内箱１ｂの天井パネル前面壁１ｃの折り曲げ部分である折曲部１ｃｃと係合する形で下端が内側へ折り曲げ加工した折曲部２１０ａを有する板金製の長尺な取付金２１ａと、該取付金２１ａの前面に下端の先端部分をハニカム整流体７を組み込む側に向けて略Ｌ字形に折り曲げ加工した折曲部２１０ｂを有する板金製の長尺な取付金２１ｂとから構成される。
【００１３】
なお、この取付金２１ａと取付金２１ｂとは、図示しない補強金を間に複数個介して取り付けられることとなり、また、取付金２１ｂの長手方向の両端部が取付金２１ａに向けて折り曲げ加工された折曲部２１１ｂを有しており、この折曲部２１１ｂと取付金２１ａとがスポット溶接，もしくはねじ止めで固定されるとともに、補強金部分においてもスポット溶接，もしくはねじ止めで固定されることにより、仕切板２１が組み立てられる。
この仕切板２１をショーケースのエアカーテン吹出口に取り付ける際には、上記のようにインナーダクト１９ａのエアカーテン吹出口２０ａに組込む前に一体形成されており、この仕切板２１の折曲部２１０ｂにてハニカム整流体７を保持した状態で、インナーダクト１９ａのエアカーテン吹出口２０ａの全幅に亙るように組込み、折曲部２１０ａと内箱１ｂの天井パネル前面壁１ｃの折曲部１ｃｃとを化粧ねじ２２によりねじ止めして固定し、ハニカム整流体７は、前面壁１ｃとは反対側の壁１ｆとの間に保持される。
【００１４】
このように、インナーダクト１９ａのエアカーテン吹出口２０ａにハニカム整流体７とともに仕切板２１を組込むことにより、仕切板２１を構成する取付金２１ａと取付金２１ｂとの間に冷気の吹出通風路となるスリット２３が形成され、仕切板２１のみでスリット２３の形成とハニカム整流体７の保持が可能となる。
次に、仕切板２１を形成する取付金２１ｂの上端部にはインナーダクト１９ａの上流側に向けて“く”状に折り曲げた風向ガイド２１２ｂを一体に設けてある。この風向ガイド２１２ｂは、インナーダクト１９ａを通じてエアカーテン吹出口２０ａに組み込んだハニカム整流体７，および前記スリット２３に向かう冷気流の風量，風速を配分する役目を果たすものであり、インナーダクト１９ａ内への突き出し長さ，傾斜角度を変えることにより、ショーケースの保冷運転時にスリット２３，ハニカム整流体７を通じてケース本体１の前面開口部に吹き出すエアカーテン層の風量，風速の比率が変化する。
【００１５】
なお、仕切板２１を構成する取付金２１ｂの折曲部２１０ｂを曲げ加工により形成したが、取付金２１ｂと折曲部２１０ｂとを別部材として設け、後で、ねじ止めあるいは溶接などにより取り付けるようにしてもよい。この場合、図４で示したショーケースに既存の仕切板１１に別部材の折曲部を取り付けると、ハニカム保持具が不要となり、既存のショーケースにも対応可能となる。
また、取付金２１ｂの上部部分をハニカム整流体７を組み込む側に向けて略Ｌ字形に折り曲げ加工した折曲部を形成して、折曲部２１０ｂとともに、コ字状によりハニカム整流体７を上下より挟み込みように構成してもよい。
【００１６】
さらに、この実施例においては、３層エアカーテン方式のオープンショーケースについて説明したが、３層エアカーテン方式に限られるものではなく、何層であっても、仕切板２１は、最も庫内に近い内側（インナー）ダクトにのみに設ければよく、このダクトのハニカム整流体についてのみ上記保持方法となる。
【００１７】
【発明の効果】
以上述べたように、この発明によれば、ケース本体の外箱と内箱との間に画成した冷気循環ダクトを通じてケース本体の前面開口部に冷気エアカーテンを吹出形成する冷気循環式のオープンショーケースにおいて、前記開口部に向けてケース本体の上部前縁に開口したエアカーテン吹出口に仕切板を設け、仕切板を境にして、その外側にハニカム整流体が組み込まれ、内側に冷気を高速で吹き出すスリットを形成するとともに、前記仕切板にてハニカム整流体を保持させることにより、取付け時の作業性の効率化が図れる。
【図面の簡単な説明】
【図１】この発明の実施例によるオープンショーケースのエアカーテン吹出口の構成側面図
【図２】図１の仕切板の拡大図
【図３】従来における多段形オープンショーケースの全体構成を表す断面側視図
【図４】従来におけるオープンショーケースのエアカーテン吹出口の構成断面図
【図５】従来におけるオープンショーケースのエアカーテン吹出口の構成側面図
【符号の説明】
１      ケース本体
１ａ    外箱
１ｂ    内箱
１ｃ    天井パネル前面壁
７      ハニカム整流体
１９      インナーダクト
１９ａ    エアカーテン吹出口
２１      仕切板
２１ａ    取付金
２１０ａ    折曲部
２１ｂ    取付金
２１０ｂ    折曲部
２２      化粧ねじ
２３      スリット
【図１】
2004233019.tif 000003
【図２】
2004233019.tif 000004
【図３】
2004233019.tif 000005
【図４】
2004233019.tif 000006
【図５】
2004233019.tif 000007